(57)【要約】
【課題】　正規の使用者が不在の間のパーソナルコンピュータの不正使用を防止する。
【解決手段】　使用者の所持するトランスミッタ２とパーソナルコンピュータの基本ＯＳ動作を制御するレシーバ１からなり、使用者が席を離れる場合、一定距離・時間以上トランスミッタからの送信が受信されないと予め設定された基本ＯＳロックが作動し、また、トランスミッタ、レシーバによらない場合には予め設定されたパスワードなどの入力により基本ＯＳのロックを解除する。
【選択図】図６
0003099800.tif 000002
【実用新案登録請求の範囲】
【請求項１】
　パーソナルコンピュータの使用者の所持するトランスミッタとコンピュータのUSBインターフェースに接続されたレシーバとから構成し、予め設定された距離以上離れることにより、トランスミッタからの無線通信が途絶えるとレシーバが自動的にコンピュータの基本ＯＳをロック状態にすることにより不正使用を　防止する、無線ＩＤロック機構。
【請求項２】
　前記トランスミッタは電子回路により構成されたIC基板で、信号を発信する無線通信機能を持ち、IC基板のケース外形・形態を携帯用としたことを特徴とする請求項１記載の無線IDロック機構。
【請求項３】
　前記レシーバは電子回路により構成されたIC基板で、信号を受信する無線通信機能を持ち、IC基板のケース外形は制限されず、コンピュータのUSBポートをサポートし、コンピュータの基本ＯＳのロックとその解除することを特徴とする請求項１記載の無線IDロック機構。
【請求項４】
　前記レシーバと前記トランスミッタの連動作動を用いない場合のコンピュータの基本ＯＳのロックするためのパスワードは、予めコンピュータのモニタ画面によって設定入力され、該パスワードの入力によってコンピュータの基本ＯＳのロックとその解除することを特徴とするの無線IDロック機構。
【請求項５】
　前記パスワード入力画面は主に５項目欄と５パスワード欄により構成し、該５項目欄は６種以上の選択項目を含み、使用者は自身で設定することができ、該画面は正確な欄及びパスワードを入力後、消失し、コンピュータは元の画面を回復することを特徴とする請求項１記載の無線IDロック機構。
【考案の詳細な説明】
【技術分野】
【０００１】
　本考案は一種の無線IDロックに関する。　特に一種の精密電子回路を具えたコンピュータに運用する制御ソフトウエアで、トランスミッタとレシーバの無線通信技術を利用し、無線IDロックに対応し開発されたプロテクトソフトを組合せることにより、トランスミッタ及びレシーバの有無に関わらず、該プロテクトソフトの正常な機能及び作動を保証する無線IDロックに係る。
【背景技術】
【０００２】
　図１が示す現在広く使用されているパーソナルコンピュータと互換性のあるコンピュータのプロテクト措置には二通りある。
　一つはDOS環境下で使用する「使用者一時不在」のプロテクト措置が一切ないものである。
　もう一つは、それぞれの基本ＯＳ環境下で使用する単純でパスワードの組合せが簡単なスクリーン保護プログラムで、クラックされ易く、しかも多数の使用者がよく知られたソフトを使用する。さらに、基本ＯＳ環境下での煩雑な設定に対して詳しくないため、効果的に利用できていないのが現状で、かつ該パスワードは該基本ＯＳのシステムファイル内に保存するため、コンピュータに詳しい者にとってはASCIIコードの解読技術を利用し、パスワードを簡単にクラックすることができる。そのため、高度なプロテクトを達成することはできず、コンピュータ内部の機密データは簡単に盗み取られてしまう。
【考案の開示】
【考案が解決しようとする課題】
【０００３】
　上記公知構造の欠点を解決するための本考案の課題は、精密電子回路を具えたコンピュータに運用する制御ソフトウエアで、トランスミッタとレシーバの無線通信技術を利用し、無線IDロックに対応し開発されたプロテクトソフトを組合せることにより、トランスミッタ及びレシーバの有無に関わらず、該プロテクトソフトの正常な機能及び作動を保証する無線IDロックを提供することである。
【課題を解決するための手段】
【０００４】
　上記課題を解決するため、本考案はトランスミッタとレシーバの無線通信技術を利用し、無線IDロックに対応し開発されたプロテクトソフトを組合せることにより、トランスミッタ及びレシーバの有無に関わらず、該プロテクトソフトの正常な機能及び作動を保証する無線IDロックを提供するものであり、それは主に、レシーバ１、トランスミッタ２、ソフトウエアにより構成し、該レシーバ１はUSBポート３によりコンピュータと接続し、使用者５が基本ＯＳ環境下で、該無線IDロックの専属プロテクトソフトをインストールしていないとき、プログラムはドライバプログラムを合わせてインストールし、基本ＯＳ環境下に入り、これにより、該レシーバ１はUSBインターフェースと保護プログラムにより連通し、保護ソフトの起動と終了を制御するものである。
【考案の効果】
【０００５】
　上記のように、本考案は自動的にロック及び解除が可能で、使用者が一時的に席を離れた時に動作するように設計されている。さらに、使用者に多重パスワードによるプロテクトを提供するため、クラックに非常に時間がかかりかつ困難であるため、データの盗用は容易でない。
【考案を実施するための最良の形態】
【０００６】
　本考案はコンピュータ使用のレシーバ１と使用者が携帯するトランスミッタ２を利用し、ソフトウエアを組合わせることにより、機密データ保護の目的を達成するものであり、本考案の好適な実施例を図面及びブロックチャートに沿って説明する。
【実施例】
【０００７】
　図６、７は該レシーバ１、該トランスミッタ２内部回路作動のブロックチャートである。
　先ず図６が示すように、アンテナ７は信号を受信後、バンドパスフィルター８を経由し基本の中周波数バンドの信号を取り出す。次に、ローノイズアンプ(LNA)９を経て信号を増幅し、ミキサー１０及び中周波数フィルター１１に送信する。これにより、ノイズをろ過し、ログアンプ１２及びデータフィルター１３に送り、正確な信号を得ることができる。さらに、１ビットコンパレーター１４を経て、レシーバのエンコーダ１６に送り、信号を正確に解読する。続いて、解読した信号中よりIDを取り出し、ID確認１７により確認を行う。
　該IDが誤りであるなら、受信した信号は外部からの信号であるので、該信号に対しては処理を継続しない。
　該IDが正しい場合には、算術論理演算ユニット(ALU)１８とUSBインターフェース１９に送り、双方向データの伝送を行い、USBポート３とデータ伝送２０を行う。
　5V作動電圧２１はUSBの作動に必要な電圧で、信号が該LNA９により増幅される時、周波数が変動し該回路に異常が発生するのを防止するため、オスシレーター１５１、フェーズ周波数ディテクト(PFD)１５２、1/64の比率縮小１５３、電圧制御オスシレーター(VCO)１５４、充電回路１５５をフェーズロックループ(PLL)１５とし、該作動周波数を効果的に固定し、変動を防止する。
【０００８】
　次に図７が示すように、該トランスミッタ２は先ずID設定２６により、IDを設定し、算術論理演算ユニット２５に送り算術論理演算を行う必要がある。該演算ユニット２５はタイマー２７により補助する必要があり、該タイマー２７は一種の演算器で欠くことのできない補助モジュールである。演算の完了後、エンコーダ２４に送り暗号化を行い、暗号化の完了後、振幅変調トランスミッタモジュール２３により、アンテナ２２を経て発信される。続いて、該レシーバ１のアンテナ７により受信され、上記の処理ステップを加えられる。
【０００９】
　図８、９は本考案レシーバ１及びトランスミッタ２の実施例外観である。
　該レシーバのケース２８、トランスミッタの上蓋２９１、トランスミッタの下蓋２９２は一実施例であり、本考案はこれらの例示する外観に限定するものではない。固定ネジ２９４により該上蓋２９１及び該下蓋２９２を蓋合し、該トランスミッタ２を形成する。
【００１０】
　先ず状況１では、図２が示すように、該レシーバ１と該トランスミッタ２が両方ある時には、該レシーバ１と該トランスミッタ２は電子回路方式で、同一の周波数により、一定の時間確認信号を発信し、使用者の設定により、該レシーバ１と該トランスミッタ２は無線通信を行うことができる。該トランスミッタ２により発信し、該レシーバ１により受信する。もし、該レシーバ１と該トランスミッタ２が一定の距離を超えて離れ、該レシーバ１が該トランスミッタ２の信号を受信することができない時には、該レシーバ１は直ちにUSBインターフェースを通して保護ソフトを起動する。この時、コンピュータの作動方式は元の基本ＯＳ環境からロックモードに切り替わる。この時、コンータ内部のデータは保護され、盗用が困難となる。
【００１１】
　図３が示すように、使用者がコンピュータに戻って来た時には、該レシーバ１は該トランスミッタ２が発信した信号を受信したなら、該レシーバ１はUSBインターフェースを通して保護ソフトのロックを解除し、ロック画面Gは自動的に基本ＯＳ画面Hに切り替わる。使用者が戻って来た時、コンピュータを直接使用することができ、機密データ保護の機能を達成する。
【００１２】
　次に状況２では、図３、４が示すように、使用者の不注意、或いは他の要因により、本考案のレシーバ１とトランスミッタ２の内の一つが存在しない、或いは二つともが存在しない。しかしこの時にも、専属の保護プログラムの作動には影響しない。但し、該レシーバ１と該トランスミッタ２が存在しないため、使用者は一時的に席を離れる時には、基本ＯＳ画面H右下のタスクバーのロックマークをクリックし、保護ソフトを起動しなければならない。この時、図５が示すコンピュータはロック画面Gを表示する。一時不在からコンピュータに戻った語は、パスワード解除を入力し、解除後、コンピュータはロック画面Gから基本ＯＳ画面Hに戻り、使用者は続けて正常にコンピュータを使用することができ　　
　る。この過程で、機密データの保護機能を達成する。
【００１３】
　図２が示す保護ソフトが表示されたロック画面Gにおいて、Fは警告情報欄で、盗用者にこれが犯罪行為であることを警告する。文章は使用者が設定することができる。A、B、C、D、Eはすべて項目欄で、各項目欄はすべて各６種以上の選択肢を提示することができる。例えば、「住所、年齢、パスワード、電話番号、妻の氏名、空白」など。この６種の選択項目はすべて使用者が自身で設定することができる。各項目欄下にはa、b、c、d、eのパスワード欄が対応し、使用者は該欄にパスワードを入力する。但し、各項目及びパスワード欄はすべてパスワードの設定が必要な訳ではなく、使用者本人の必要に応じて、いくつかを選択し設定すれば良い。５項目欄とパスワードをすべて設定する必要がある訳ではないため、使用者に対して弾力的な運用を提供し、利便性を大幅に高めることができる。
　また盗用者が盗用しようとするときには、先ず項目欄の５項目から正確な項目を選択する必要があり、さらに、正確なパスワードを正確なパスワード欄に入力しなければ、ロックは解除されない。こうして、５項目欄に６種の選択項目を組合せ、さらにパスワードを対応させることにより、クラックが成功する可能性を極限まで縮小している。これにより、データが盗用される恐れは少なく、さらに、使用者が席を離れた数分間内にクラックが成功する可能性はほとんどない。
【図面の簡単な説明】
【００１４】
【図１】公知のコンピュータの欠点指示図である。
【図２】本考案の状況一である使用者不在時の指示図である。
【図３】本考案の状況一である使用者復位時の指示図である。
【図４】本考案の状況二である使用者不在時の指示図である。
【図５】本考案の状況二である使用者復位時の指示図である。
【図６】本考案レシーバの機能ブロックチャートである。
【図７】本考案トランスミッタの機能ブロックチャートである。
【図８】本考案レシーバの実体外観実施例図である。
【図９】本考案トランスミッタの実体外観実施例図である。
【符号の説明】
【００１５】
　　１　レシーバ
　　２　トランスミッタ
　　３　USBポート
　　４　一定の距離以上であることを示す
　　５　使用者
　　６　盗用者
　　７　受信アンテナ
　　８　バンドパスフィルター
　　９　ローノイズアンプ(LNA)
　１０　ミキサー
　１１　中周波数フィルター
　１２　ログアンプ
　１３　データフィルター
　１４　１ビットコンパレーター
　１５　フェーズロックループ(PLL)
１５１　オスシレーター
１５２　フェーズ周波数ディテクト(PFD)
１５３　1/64
１５４　電圧制御オスシレーター(VCO)
１５５　充電回路
　１６　レシーバのエンコーダ
　１７　ID確認
　１８　算術論理演算ユニット(ALU)
　１９　USBインターフェース
　２０　データ伝送
　２１　5V電圧接続
　２２　トランスミッタアンテナ
　２３　振幅変調トランスミッタモジュール
　２４　トランスミッタエンコーダ
　２５　トランスミッタの算術論理演算ユニット
　２６　ID設定
　２７　タイマー
　２８　レシーバのケース
２９１　トランスミッタの上蓋
２９２　トランスミッタの下蓋
２９３　パッキン
２９４　固定ネジ
　３０　回路板
　　A  項目欄
　　B  項目欄
　　C  項目欄
　　D  項目欄
　　E  項目欄
　　G  ロック画面
　　H  基本ＯＳ画面
　　a  パスワード入力欄
　　b  パスワード入力欄
　　c  パスワード入力欄
　　d  パスワード入力欄
　　e  パスワード入力欄
【図１】
0003099800.tif 000003
【図２】
0003099800.tif 000004
【図３】
0003099800.tif 000005
【図４】
0003099800.tif 000006
【図５】
0003099800.tif 000007
【図６】
0003099800.tif 000008
【図７】
0003099800.tif 000009
【図８】
0003099800.tif 000010
【図９】
0003099800.tif 000011